Podtech/llm-jp-corpus-v4-ja_patent huggingface dataset:
(57)【要約】【課題】営業マンが販売店等でセールスする場合、製品を梱包した段ボールや説明書類を開封・ホッチキス針を外して説明する時に、ボールペンの先を応用して書けなくなる場合がある。  これらの用具を持ち歩く必要がないボールペンキャップを提供する。【解決手段】ボールペンキャップのクリップ部分（２）に、荷造りガムテープカット・ホッチキス針外し・レターナイフの機能を設けたボールペンキャップを特徴とする。【選択図】図１
2010264737.tif 000002
【特許請求の範囲】
【請求項１】
現在、使用されているボールペンのキャップクリップ部分（２）に、荷造りガムテープカット、ホッチキス針外し、レターナイフを兼ね合せた機能を設け、クリップを反転させキャップ内に収納することによりクリップを固定させる。
【発明の詳細な説明】
【技術分野】
【０００１】  この発明は、荷造りガムテープのカット・ホッチキス針外し・レターナイフの機能をもったクリップを反転させ、キャップ内に収納することによりクリップを固定するボールペンキャップである。
【背景技術】
【０００２】  営業マンが販売店等でセールスする場合、製品を梱包した段ボールや説明書類を開封・ホッチキスを外して説明する時に、ボールペンの先を応用して書けなくなる場合がある。
【先行技術文献】
【特許文献】
【０００３】
【特許文献１】特許公開平１０−２９１３９５
【特許文献２】特許公開平２００４−２９０２５０
【特許文献３】登録実用新案第３１３８２５８号
【発明の概要】
【発明が解決しようとする課題】
【０００４】  これには次のような欠点があった。
カッターナイフやハサミ・ホッチキス針外しを持ち歩かなければならない。これらの機能を、ボールペン１本で解消するために考案したものである。
【課題を解決する手段】
【０００５】  ボールペンキャップのクリップ部分（２）を利用し、本体であるボールペン（７）の上部に差し込むことにより、荷造りガムテープのカット、ホッチキス針外し、レターナイフの作業が可能である。
【発明の効果】
【０００６】  ボールペンとキャプはセット用品であり、カッターナイフやハサミ・ホッチキス針外しが必要になった時、探す手間が省ける。キャップのクリップ部分とボールペンの本体を柄とするため、従来の使用方法と同様であり使用するのに何ら差し支えがない。
【図面の簡単な説明】
【０００７】
【図１】使用前のキャップ側面図
【図２】クリップを反転させた場合のキャップ側面図
【図３】使用時のキャップクリップ側面図
【図４】クリップを反転させた場合のキャップ平面図
【図５】使用時のキャップクリップ平面図
【図６】キャップクリップ反転部分拡大側面図
【図７】キャップクリップ反転部分拡大正面図
【図８】クリップの結合部品側面図
【発明を実施するための形態】
【０００８】  カッターナイフやハサミ・ホッチキス針外しの機能を持ったクリップ（２）を反転させるために、ボールペンキャップ（６）の先端に反転装置を設ける。
更に、キャップ内部にクリップをスライドさせて収納することにより固定させる。
【産業上の利用可能性】
【０００９】  キャップクリップを利用しているため、ボールペン本体の規格及び使用方法は従来と同様であり本体の製作工程を変更する必要がない。
キャップ式であれば、筆記具に広く利用できる。
【符号の説明】
【００１０】    １  刀
２  クリップ
３  スライドプレート
４  ストッパー
５  溝
６  キャップ
７  ペン本体
８  留め金
【図１】
2010264737.tif 000003
【図２】
2010264737.tif 000004
【図３】
2010264737.tif 000005
【図４】
2010264737.tif 000006
【図５】
2010264737.tif 000007
【図６】
2010264737.tif 000008
【図７】
2010264737.tif 000009
【図８】
2010264737.tif 000010
(57)【要約】【課題】今からゴルフを始める人にはすぐに受け入れられるが、ゴルフ歴の長い人はすぐには受け入れられないと思う。【解決手段】現在市販のグリップではクラブによって持っている位置が違う事を理解してもらう。何ｍｍの差なので気ずきにくい。【選択図】図３
2010264221.tif 000002
【特許請求の範囲】
【請求項１】
ゴルフクラブの重心アングルを基準にしてバックラインの向きを合わせたグリップの差し方
【発明の詳細な説明】
【技術分野】
【０００１】本発明はゴルフクラブの重心アングルを基準にしたグリップの差し方に関する
【背景技術】
【０００２】従来のゴルフクラブのグリップの差し方では番手ごとに違う位置に手を握らなければいけないのでバックラインの入ったグリップでは違和感が出てしまう。
【先行技術文献】
【特許文献】
【０００３】
【特許文献１】特開２００６−２４７０４５
【発明が解決しようとする課題】
【０００４】特許文献１のグリップの入れ方は基準がなく単にスライス又はフック防止の為だけである
【０００５】本発明はゴルフクラブ１本１本違う重心アングルを基準にしてゴルフを少しでもやさしくする事を目的とするものである。
【課題を解決するための手段】
【０００６】そして、本発明は上記目的を達成するために、ゴルフクラブを台の上に置くと重心が真下に向き、その方向にバックラインを差せば番手ごとに同じグリップができる様になる。
【発明の効果】
【０００７】本発明のグリップの差し方にすればアドレスでのゴルフクラブのシャフトの傾きとインパクトのシャフトの傾きが合いやすいのでゴルフスウィングがより簡単になる
【図面の簡単な説明】
【０００８】
【図１】ゴルフクラブの重心アングルの出し方とグリップの断面図。
【図２】基本になるスクエアグリップの握り方
【図３】従来のグリップの握り方
【図４】アドレスの基本型と左手のバックラインの入る位置。
【発明を実施するための形態】
【０００９】以下、本発明の実施の形態を図１〜図４に基づいて説明する。
【００１０】図においては１はゴルフクラブの重心アングル、２は、グリップのバックライン。
【００１１】図１はシャフト４をＸ〜Ｘ′の断面で見た時のバックライン２の差し方
【００１２】図２の様にメーカーのロゴ３を左手の親指の延長線上に置けばシャフトの傾きとフェースの向きが真っすぐになる。
【００１３】この時に図４の様にシャフトの延長線上５が左わきを指すのがベストである。
【００１４】図３の様に市販のグリップはシャフトを垂直にした時にスコアラインが目標を向く様に差してある。
【産業上の利用の可能性】
【００１５】○  ゴルフクラブに関しては大変な進化をしている事に対して、グリップは、材質、デザイン、ぐらいしか変わっていない。
ゴルフクラブは番手ごとにインパクトのシャフトの傾きや体の傾きが違うのに市販のグリップの入れ方は均一になっているのはゴルフを難かしくしている一つの原因である。
重心アングルを基準にしたグリップの入れ方にすれば目をつぶってもフェースを真っすぐに合わせられるのでよりゴルフがやさしくなると思う。
【符号の説明】
【００１６】Ａ  ロングアイアン
Ｂ  ドライバー
１  重心アングル
２  バックライン
３  メーカー、ロゴマーク
４  グリップ
５  シャフトの延長線上
６  シャフト
７  バックラインの入る位置
【図１】
2010264221.tif 000003
【図２】
2010264221.tif 000004
【図３】
2010264221.tif 000005
【図４】
2010264221.tif 000006
(57)【要約】【課題】  公共の場等のカウンターやテーブルにステッキを置く所を設けてあるところは少なく所用をするとき不便である。稀にステッキ立ての箱やフックを付けてあるところもあるが邪魔になることが多い。  グリップをカウンターやテーブルに掛けたときに容易に脱落しないよう一方に鉄板、もう一方にマグネットを取り付けて吸着させることでその機能を持たせる。【解決手段】  カウンターやテーブルあるいは台の淵７に鉄板６を貼り付け、ステッキのグリップ２下のポール１にマグネット５を取り付ける。これによりカウンターやテーブルあるいは台にステッキのグリップ２を架けたとき鉄板６にステッキのマグネット５が吸着しステッキが容易に脱落しないことを特徴とする。【選択図】図１
2010264210.tif 000002
【特許請求の範囲】
【請求項１】
カウンターやテーブルあるいは台等の淵に鉄板を貼り付け、ステッキのグリップ下のポールにマグネットを付ける。カウンターやテーブルあるいは台等の鉄板を貼り付けてある所の上にグリップを掛ければマグネットが鉄板に吸着するためステッキをそこに保持させておくことができる。
【請求項２】
ステッキのグリップの前部あるいは後部の何れでもカウンターやテーブルあるいは台等に掛けることができるようマグネットはポールの前後２箇所に取り付ける。
【請求項３】
ステッキのグリップの前部あるいは後部の何れでもカウンターやテーブルあるいは台等に掛けることができるようシート状のマグネットをポールに巻きつける。
【発明の詳細な説明】
【技術分野】
【０００１】  本発明は、歩行時にステッキを必要とする人が公共窓口等での所用時に一時的にそれを置いておくステッキホルダーに関する。
【背景技術】
【０００２】  従来は公共の場のカウンターやテーブルあるいは台またはスーパーのレジ等では一時的にステッキを立てかけて置いた。【０００３】  ステッキを立てておく箱あるいは掛けておくフック等を設置ところは稀にあった。【０００４】  なお、本発明に関する公知技術として次の特許文献１及び非特許文献１を挙げることができる。【０００５】
【特許文献１】  特開２００５−５８７１３号公報、特開２００５−２８８０９６号公報
【非特許文献１】  「（文献名）」
【発明が解決しようとする課題】
【０００６】  上述の如く、ステッキは壁や台等に立てかけて置くと倒れやすい。
【０００７】  本格的なステッキ立ては置き場やスペースが必要で邪魔にもなる。フック等も不使用時には邪魔になりまた引っ掛かって危険になることもある。
【課題を解決するための手段】
【０００８】  上述の目的を達成する本発明のステッキマグネットホルダーはカウンターやテーブルあるいは台の淵に貼り付ける鉄板およびステッキに付けるマグネットで構成されていることを特徴とする。
【０００９】  一例としてカウンターやテーブルあるいは台の淵に鉄板を貼り付け、ステッキのグリップの下にはマグネットを付ける。鉄板が貼り付いている所にステッキ架けるとステッキのマグネットが吸着しステッキを保持しておくことができる。
【発明の効果】
【００１０】  カウンターやテーブルあるいは台の淵の鉄板が付いている所にステッキのグリップを掛けるだけでマグネットにより吸着している。従って脱着も容易
【００１１】  スチール家具や鉄製の物にはマグネットで吸着するので安定して立てかけて置くことができる。
【００１２】  カウンターやテーブルあるいは台の淵には薄い鉄板を貼り付けてあるだけなので邪魔にならず引っ掛かったりもしない。
【００１３】
【発明を実施するための最良の形態】
【００１４】  以下、本発明の実施の形態を図面に基づき詳細に説明する。【００１５】  図１は本発明の第１の実施の形態に係り、マグネットを付けたステッキとカウンターの淵に鉄板を貼り付けた外観斜視図である。【００１６】  図１に示すようにステッキのグリップ２の下のポール１にマグネット５を付けてある。【００１７】  カウンターの淵７には鉄板６を貼り付けてある。
【実施例】
【００１８】  グリップ前部３でもグリップ後部４でも掛けることができるようポール１の前後にマグネット５を取り付けるか埋め込む。あるいはシート状のマグネットを巻きつける。なおシート状のマグネットは既に保有しているステッキにも付けられるよう粘着性のテープやバンド等でポール１に巻き付け固定できるようにする。【００１９】  マグネットは強力なものでまた鉄板へ容易に広く接するよう縦長にし、軽量化された物を用いる。【００２０】  カウンターやテーブルあるいは台の淵７に貼り付ける鉄板６は邪魔にならないよう薄くし、ステッキのマグネットが接しやすいよう広くする。また違和感のないデザインとし通磁性や耐摩耗性及び耐腐食性の優れた塗料を用いる。【００２１】
【産業上の利用可能性】
【００２２】  本発明は傘置き用にも応用できる。
【図面の簡単な説明】
【００２３】
【図１】  本発明の第１の実施の形態に係るステッキマグネットホルダーと鉄板の外観斜視図である。
【符号の説明】
【００２４】  １  ポール              ２  グリップ          ３  グリップ前部
４  グリップ後部        ５  マグネット        ６  鉄板
７  カウンターの淵
【図１】
2010264210.tif 000003
(57)【要約】      （修正有）【課題】サンダル等腰革の無い履物は、歩く時外底を地面に引き摺らないように無意識のうちにつま先に力を入れるので足先が疲れる。それでつま先の力を抜くと外底を地面に引き摺るので外底が破損しやすい。又、甲被部や内底側縁から踵に掛ける紐を設けたサンダルは、履き脱ぎする時、腰を曲げて手で紐を踵に掛けたり留め具を留め外す等の手間がかかる。【解決手段】履物内底１に載せた足の踵が位置する部分の左右側縁から、プラスチック又はこれに準じる資材で、踵後部の膨らみ部分に掛かる輪５を立ち上がらせて固定する。この履物を履く時は、輪５の上端内側に踵を当てて足を踏むと、踵が輪の内側に滑り込んで所定の位置に納まると同時に、輪は踵後部の膨らみ部分に掛かり、歩く時足を交互に上げる度にこの輪が内底１を引き上げるので、外底４を地面に引き摺らない。【選択図】図１
2010264209.tif 000002
【特許請求の範囲】
【請求項１】
色々な形に成型してその形を固定し、多少の弾力を持たせることもできるプラスチック、又はこれに準じる資材で、履物内底に載せた足の踵が位置する部分の左右側縁から、踵後部の膨らみ部分に掛かる輪を立ち上がらせて固定した、腰革の無い履物の踵浮き防止装置。
【請求項２】
履物の内底と中敷底面に対の面ファスナーを設けて、履物内底に着脱自在にする中敷に載せた足の踵が位置する部分の左右側縁から、踵後部の膨らみ部分に掛かる輪を立ち上がらせて固定した、請求項１記載の腰革の無い履物に着脱自在にする中敷の踵浮き防止装置。
【発明の詳細な説明】
【技術分野】
【０００１】  この発明は、サンダルやスリッパ等腰革の無い履物を歩き易くする装置に関するものである。
【背景技術】
【０００２】  従来、サンダルを履いた時の踵浮き防止のために、内底の側縁部や甲被部から踵に掛かる紐を設けて留め具で留めるものがあり、又、履物に載せた足の土踏まずあたりの下部の靴底に回転軸を設けて、これに連動するバックベルトを形成して、靴を履く時の体重でバックベルトが上がり踵を保持する構造のものも考えられている。
【発明の開示】
【発明が解決しようとする課題】
【０００３】  従来のサンダルやスリッパ等腰革の無い履物は、立ったまま足のつま先を甲被部に挿入して素早く履き脱ぎできる長所があるが、その反面歩く時は、交互に足を運ぶ度に内底の後半が足裏から離れるので、無意識の内につま先に力を入れて足が疲れる。【０００４】  それで足先の力を抜くと、外底の後半が地面を引き摺る状態になり、外底後半は擦れて破損しやすい。又、甲被部や内底側縁から踵に掛ける紐を設けたものは、履き脱ぎする時に腰を曲げて手で紐を踵に掛けたり留め具を留め外す等の手間がかかる。そして靴底に回転軸を設けて、これに連動するバックベルトが靴を履く時の体重で上がって踵を保持する構造のものは、構造が少し複雑で製造の費用がかかる難点がある。【０００５】  本発明は、腰革の無い履物に於ける上述の問題を解決し、履き脱ぎする時に腰を曲げて手で紐を踵に掛けたり留め具を留め外す等の手間が要らず、立ったまま素早く履き脱ぎできて、歩く時つま先に力を入れなくても内底後半が足裏から離れず、外底が地面に擦れて破損しやすくすることを防ぎ、単純な構造でその目的を達成する、腰革の無い履物の踵浮き防止装置を提供することを目的とするものである。【０００６】  本発明は、色々な形に成型できてその形を固定することができ、そして多少の弾力を持たせることもできるプラスチック又はこれに準じる資材で、サンダルやスリッパ等腰革の無い履物を履いた時に、内底に載せた足の踵が位置する部分の左右側縁から，踵の後部の膨らみ部分に掛かる輪を立ち上がらせて固定している。
【発明の効果】
【０００７】  この踵浮き防止装置を取着した履物を履く時は、立ったまま腰を曲げることなく足先を甲被部に挿入し、踵浮き防止装置の輪の上端内側に踵の後部を当てて足を踏むと、踵は輪の内側に滑り込んで所定の位置に納まり、輪が踵後部の膨らみ部分に掛かって、歩く時足を交互に上げる度に、この輪が内底の後半を引き上げるので内底は足裏から離れない。そして脱ぐ時は内底に載っている足を僅かに前方にずらすと、踵の後部に密着している輪が踵から僅かに離れて隙間ができるので、そのまま容易に脱ぐことができる。【０００８】  従って、履き脱ぎする時腰を曲げて手で紐を踵に掛ける手間も要らず、立ったまま素早く履き脱ぎできる従来のサンダルやスリッパの長所を損なうことなく、つま先に力を入れるために足先が疲れ、力を抜くと外底を地面に引き摺って破損しやすくする従来のサンダルやスリッパの欠点を解消する。【０００９】  それで、つま先に力が入りにくく足運びが少し不安定な人も、この踵浮き防止装置を設けたサンダルやスリッパを履くと、足先に力を入れなくてもスリッパやサンダルが不本意に脱げたりすること無く、歩行を非常に楽にすることができる。
【発明を実施するための最良の形態】
【００１０】  以下本発明の実施の形態を図面に基づいて説明する。
図１に於いて１は履物の内底で２は甲被部である。３は内底１の側縁で４は外底である。５はプラスチック又はこれに準じる資材で、内底１に載せた足の踵が位置する部分の左右側縁３，３から踵後部の膨らみ部分に掛かる輪を立ち上がらせて固定している。【００１１】  本発明は上記のような構造であり、従来のサンダルが、踵に掛ける紐が布や合成皮革等柔軟な資材で形成され、履き脱ぎする時は腰を曲げて手で踵に紐を掛け外ししなければならないのに対して、本発明の踵浮き防止装置は、プラスチックの色々な形に成型できてその形を固定することができ、そして多少の弾力を持たせることもでき、圧力によって少し変形しても元の形に復元する性質を利用して、履物の内底１に載せた足の踵が位置する部分の左右側縁３，３から踵後部の膨らみ部分に掛かる輪を立ち上がらせて固定した点に特徴がある。そしてこの資材は、プラスチックに準じる化学合成資材でも利用できる。【００１２】  又、図２、図３に示すように、面ファスナー等でスリッパやサンダルの内底に着脱自在に取着する中敷６に、この踵浮き防止装置の輪５を設けても同様の効果を奏する。【００１３】  この方法にすると中敷６を着脱して度々洗浄し履物の内底１を清潔にすると共に、中敷６を多少前後にずらして着脱することによって、輪５の取着位置を使用者の足の寸法に敵合するように調節することができる。
【図面の簡単な説明】
【００１４】
【図１】本発明踵浮き防止装置を設けたサンダルの側面斜視図。
【図２】本発明踵浮き防止装置を設けたサンダルを履いた足の側面図。
【図３】本発明踵浮き防止装置を設けた中敷の側面斜視図。
【図４】本発明踵浮き防止装置を設けた中敷を取着したスリッパの側面斜視図。
【符号の説明】
【００１５】  １    内底
２    甲被部
３    内底側縁
４    外底
５    踵浮き防止装置の輪
６    中敷
【図１】
2010264209.tif 000003
【図２】
2010264209.tif 000004
【図３】
2010264209.tif 000005
【図４】
2010264209.tif 000006
(57)【要約】【課題】  タワシでは焦げ付きやこびり付いた付着物を取り除きにくいという不都合があり、その不都合を解決すること。【解決手段】  引っ掛け用針金リングの部分の断面の形状を矩形にすることにより、スクレーパーの機能を持たせ、この課題を解決する。【選択図】図２
2010264204.tif 000002
【特許請求の範囲】
【請求項１】
引っ掛け用針金リングの部分の断面を矩形にしたことを特徴とするタワシ。
【発明の詳細な説明】
【技術分野】
【０００１】  本発明は、タワシに関するものであり、タワシの引っ掛け用針金リングの部分の形状に工夫を加える事によって、タワシにスクレーパーの機能を持たせたものである。
【背景技術】
【０００２】  従来から、タワシはシュロの毛や樹脂の繊維を素材として、断面が円形の針金でたばねて作られている。そして、素材をたばねるのに使った針金は、その一部を使ってタワシを引っ掛けるリングを形成するだけであった。
【発明の開示】
【発明が解決しようとする課題】
【０００３】  従来、タワシは器物等の汚れや付着物を取り除く道具として使われてきた。しかし、汚れや付着物を取り除く能力には限界があり、焦げ付きやこびり付いた付着物を取り除くのに適していなかった。本発明は、このような、タワシでは焦げ付きやこびり付いた付着物を取り除きにくいという不都合を解決することを課題とする。
【課題を解決するための手段】
【０００４】  この課題を解決するための請求項１の発明は、引っ掛け用針金リングの部分の断面を矩形にしたことを特徴とする、スクレーパー機能つきタワシである。断面を矩形にしたことで、引っ掛け用針金リングの外側に二つの角ができ、それぞれの角がスクレーパーとしての機能を有することになる。これにより、焦げ付きやこびり付いた付着物を、容易に除去できる。
【発明の効果】
【０００５】  本発明により、従来のタワシにない、焦げ付きやこびり付いた付着物を、容易に除去できる機能を付与できる。
【発明を実施するための最良の形態】
【０００６】  図１は、従来のタワシの引っ掛け用針金リングの部分の断面図である。断面が円形のためスクレーパーとしての働きはない。【０００７】  図２は、断面を矩形にしたことを特徴とする、タワシの引っ掛け用針金リングの部分の断面図である。同図に示すように、引っ掛け用針金リングの部分の断面が矩形であるので、引っ掛け用針金リングは四つの角を有する。四つの角のうち、引っ掛け用針金リングの外側の二つの角は、スクレーパーとしての機能を有することになる。【０００８】  また、断面の形状は矩形に拘らず、針金の外縁に鋭利な部分を持つ形状であればよい。
【産業上の利用可能性】
【０００９】  本発明に係るタワシは、工業的に量産する事が可能であるため、産業上の利用可能性を有する。
【図面の簡単な説明】
【００１０】
【図１】  従来のタワシの、引っ掛け用針金リングの部分の断面図である。
【図２】  断面を矩形にしたことを特徴とする、タワシの引っ掛け用針金リングの部分の断面図である。
【符号の説明】
【００１１】  １      従来のタワシの円形の断面をした引っ掛け用針金リング
２      矩形の断面をした引っ掛け用針金リング
【図１】
2010264204.tif 000003
【図２】
2010264204.tif 000004
(57)【要約】【課題】  カップ・グラス・食器などで水分や水分の多く含んだ食べ物を食事介助する時に、スプーンの下に余分な滴が付いてしまうので、カップ・グラス・食器などの内側のふちに当てて滴くを落とし口に運んでいた。スプーンがカップ・グラス・食器のふちに当たる時にカチャカチャっと不快音が出たり、滴もカップ・グラス・食器などの外側に出てしまうという問題があった。【解決手段】  これをカップ・グラス・食器にはさむことによってふちに当てる時の不快音がなくなり、尚且つ滴も比較的に落とすことができる。【選択図】図４
2010264206.tif 000002
【特許請求の範囲】
【請求項１】
食事介助時に出る不快音、スプーンの下につく滴を比較的取り除く用具である。
【請求項２】
食事介助するさいにカップ・グラス・食器類のフチにはさんで使用する物である。
【請求項３】
カップ・グラス・食器類にふれている面は細かい凹凸があり滑り止めになっている。
【請求項４】
繰り返し使用するため再装着が可能な天然ゴムまたは比較的硬度の低いシリコン樹脂製になっている。
【請求項５】
形はハート形だけでなく円型や他の形など見た目にも楽しめるデザインでもかまわないが、大きいサイズで４ｃｍ×４ｃｍ、小さいサイズで２．５ｃｍ×２．５ｃｍの範囲が好ましい。
【請求項６】
どんなデザインであっても上方１／３は厚さが薄く尚且つ傾斜になっており残り２／３は上方よりも少し厚めにできている。
傾斜になっていることにより、スプーンの下につく滴を取り除きやすくなっている。
【発明の詳細な説明】
【技術分野】
【０００１】本発明は、食事介助時に出る不快音、スプーンの下につく滴を比較的取り除く用具である。
【背景技術】
【０００２】いままでにこの種の用具がどこにも発明されておらず解決されずにいる。
【発明の概要】
【発明が解決しようとする課題】
【０００３】カップ・グラス・食器類などで水分や水分の多く含んだ食べ物を食事介助する時、スプーンの下につく余分な滴をカップ・グラス・食器類それぞれのフチで余分な滴を落とし口に運んでいるが、フチで余分な滴を除いてもフチから外側に垂れてしまい尚且つきれいに落としきれず口のまわりや洋服などを汚してしまうことが多い。
カップ・グラス・食器類などで食事介助する時、フチが直接スプーンと触れるのでカチャカチャとイヤな不快音が出てしまう。
【課題を解決するための手段】
【０００４】食事介助時スプーンの下につく余分な滴を取り除き、口にスプーンを運んでも口のまわりや洋服などをできるだけ汚さずに食事介助ができる。
カップ・グラス・食器類のフチに直接触れないのでカチャカチャなどの不快音がせずに食事介助ができる。
【発明の効果】
【０００５】この発明によって食事介助する側もされる側も不快感なく食事の時間を過ごせることができる。
【発明を実施するための形態】
【０００６】天然ゴムまたは比較的硬度の低いシリコン樹脂製になっている。形はハート形だけでなく円型や他の形など見た目にも楽しめるデザインでもかまわないが、大きいサイズで４ｃｍ×４ｃｍ、小さいサイズで２．５ｃｍ×２．５ｃｍの範囲が好ましい。
どんなデザインであっても上方１／３は厚さが薄く尚且つ少し傾斜になっており残り２／３は上方よりも厚めにできている。なおカップ・グラス・食器類にふれている面は細かい凹凸があり滑り止めになっている。
【図面の簡単な説明】
【０００７】
【図１】本発明を示した平面図である。
【図２】本発明の食器類との接触部を示した図である。
【図３】本発明を斜め横から見た外観図である。
【図４】本発明を真横から見た断面図である。
【図５】実際に取り付けたときのイメージ図。
【産業上の利用可能性】高齢者や身体障害者等の食事介助時だけでなく、幼児や病人等の食事介助にも有効である。
【符号の説明】
【０００８】１滑り止めになっている細かい凹凸部。
２上方部。
３下方部。
４さしこみ部の切り口。
【図１】
2010264206.tif 000003
【図２】
2010264206.tif 000004
【図３】
2010264206.tif 000005
【図４】
2010264206.tif 000006
【図５】
2010264206.tif 000007
(57)【要約】      （修正有）【課題】従来、指輪の製作はリング状に成型されたチューブワックスを熟練職人が加工して完成させるため高価になり、イニシャル等文字は機械加工によって入れる事が多かった。【解決手段】特別な技術や経験が無い一般人でも指輪を切断展開した短冊状のワックス又は樹脂に、ナイフ．彫刻刀．ワックスペンを使用して手書き感覚で文字を掘り込んだ後、リング状に加工し完成させるので簡単、安価でオリジナル指輪が製作可能になる。【選択図】図１
2010264218.tif 000002
【特許請求の範囲】
【請求項１】
指輪を切断展開した短冊状のワックス又はアクリル等熱溶解性のプラスチックに、ナイフ．彫刻刀．ワックスペンを使用し文字を掘り込んだ後、リング状にする、その際つなぎ目は加熱し一体化する、さらにそのワックスを使用し、公知のロストワックス法にて溶解金属を注入し、仕上げを行い完成する事を特徴とした、手書きの文字を掘り込んだ指輪の製造方法。
【発明の詳細な説明】
【発明の詳細な説明】
【技術分野】
【０００１】本発明は手書きの文字を掘り込んだ事を特徴とする指輪の製造方法に関するものである。
【背景技術】
【０００２】従来の指輪においては、イニシャル等文字を掘り込むことは機械加工では可能であるが、手書きの文字を掘り込むことは極めて困難であり、彫刻家に依頼することになる。
【発明が解決しようととする課題】
【０００３】上記のように、指輪の特に内側に手書きの文字を掘り込むには、専門の彫刻家に依頼する事になり、高価となる。又厳密には自筆とはいえないものである。
【０００４】本発明は特別な技術は必要なく、自筆の手書きの文字を簡単に指輪の内側に彫り込む事を可能とする製造方法の提供を目的とするものである。
【問題を解決するための手段】
【０００５】課題を解決するため請求項１に記載の手書きの文字を掘り込んだ指輪の製造方法は、指輪を切断展開した短冊状のワックス又は樹脂１に、ナイフ．彫刻刀．ワックスペンを使用して文字を掘り込んだ後、リング状２にする、その際につなぎ目は加熱して一体化する、さらにそのワックスでツリー３を作成し公知のロストワックス法でシェル成形後に溶解金属を注入し鋳造完成する。
【０００６】本製造方法においては、リング状で文字を彫り込む必要は無く、平面的な短冊状態のワックス又は樹脂に自筆の手書きの文字を、ペンで書き込む感覚で掘り込みが出来る。ロストワックス法では、一度に多数個の製造が可能であり、多数の注文に対し対応可能である。
【発明の効果】
【０００７】  本発明によれば、指輪を希望する人は、短冊状のワックス又はアクリル等熱溶解性のプラスチックを取り寄せ、手書きの文字を掘り込んだ後返送すれば、完成品が宅配される。遠く離れた地でもショップに出向く事無く、自筆の手書きの文字を掘り込んだ指輪が入手可能である。
【図面の簡単な説明】
【０００８】
【図−１】切断展開し文字を掘り込んだワックス
【図−２】リング状に成形したワックス
【図−３】複数個のリングを有したツリー
【図１】
2010264218.tif 000003
【図２】
2010264218.tif 000004
【図３】
2010264218.tif 000005
(57)【要約】      （修正有）【課題】歩行やたち姿勢が不安定となりがちな従来のジェルインソールの欠点を改善して、より効果的なマッサージ機能を有するインソールを提供する。【解決手段】第１中足骨の先端と、第５中足骨の先端に位置するインソールの箇所に融着部分を施してジェルの侵入を防ぎ、歩行やたち姿勢の安定を保つようにした。その結果、足元の不安定感が解消し、足を前に蹴りだす動作が容易となる。また、ジェルはインソールの中央に集中して盛り上がるためより効果的なマッサージが得られ、ジェルの量がこれまでに比べて１５％少なくてすみ、軽量となる。従来のインソールでマッサージ効果を高めるためジェルの量を多くすると、ジェルは足を浮かせるとともに、インソールの破裂する割合が高くなる。【選択図】図１
2010264215.tif 000002
【特許請求の範囲】
【請求項１】
歩行やたち姿勢の安定にとって重要な箇所である、第１中足骨の先端と第５中足骨の先端の着地部分にジェルの侵入を防ぐため、そこに適宜な大きさの融着部分を施し、姿勢の安定を高めると共に、マッサージ効果を高め、軽量化したインソール。
【発明の詳細な説明】
【発明の概要】
適度な粘度のジェル（流動液体）を充填した袋形状のインソール内部にジェルの流れを誘導する数箇所の融着部を設置して、姿勢の安定を保ちつつ足裏の骨格筋や腱を押圧して揉みほぐし、マッサージを行うことを特徴とする。
構成
ウレタンシートを２枚を貼り合わせ、足形の外周部及びジェルの流れを誘導する数箇所の融着部分を設け、その袋体の中に適度な粘度の液体であるグリコールまたはグリセリンを適量に充填したインソール。
【発明が解決しようとする課題】本発明は、歩行やたち姿勢が不安定となりがちな従来のジェルインソールの欠点を改善して、より効果的なマッサージ機能を有するインソールを提供せんとするものである。
【発明の効果】第１中足骨の先端と、第５中足骨の先端に融着部分を施してジェルの侵入を防ぎ、歩行やたち姿勢の安定を保つようにした。その結果、足の不安定感が解消し、足を前に蹴りだす動作が容易となった。また、ジェルはインソールの中央に集中して盛り上がるためより効果的なマッサージが得られ、ジェルの量が１５％少なくてすみ、軽量となった。マッサージ効果を高めるためジェルの量を多くすると、ジェルは足を浮かせるとともに、インソールの破裂する割合が高くなる。
【図面の簡単な説明】足の裏にかかる体重は、ｇの踵骨と、およびａの第１中足骨の先端と、ｂの第５中足骨の先端にそれぞれ５対２対３の割合でかかる。すなわち第１中足骨の先端と第５中足骨の先端とは歩行やたち姿勢のバランスをとる重要な箇所であり、歩行時には踵のつぎに床に着地し、前に移動する体重を支え、さらに足を前に蹴りだす力点となる。ここにジェルが侵入すると、ジェルの滑りによって着地した足が不安定となる。そこでａとｂに融着部分を施し、歩行やたち姿勢の安定を保つようにした。
【図１】
2010264215.tif 000003
(57)【要約】      （修正有）【課題】（犬・ネコ）等動物の毛をブラッシングしながら抜け毛・シラミ・ノミ等をしっかり扱い取る。床、畳、ジュータンに抜け毛・シラミ・ノミが落るのを最少限にする。【解決手段】家庭用掃除機を利用し、掃除機の先端部分のアタッチメントを吸い込み口の内寸サイズに合せる。【選択図】図１
2010264220.tif 000002
【特許請求の範囲】
【請求項１】
各メーカー掃除機を利用共用タイプ
掃除機の先端部分アタッチメント交換する部材
【発明の詳細な説明】
【技術】
家庭用掃除機を利用吸い込み口の内寸サイズに合せます。
【解決手段】
（犬・ネコ）等動物の毛をブラッシングしながら抜け毛・シラミ・ノミ等をしっかり扱い取る。
床、畳、ジュータンに抜け毛・シラミ・ノミが落るのを最小限にします
図面にて記載別紙
掃除機の先端部分アタッチメント交換部材（吸込みブラシ）
【図１】
2010264220.tif 000003
【手続補正書】
【提出日】平成21年10月28日(2009.10.28)
【手続補正１】
【補正対象書類名】明細書
【補正対象項目名】全文
【補正方法】変更
【補正の内容】
【発明の詳細な説明】
【技術分野】
【０００１】今迄は、犬、ネコ動物にただブラシをかけ、抜け毛を取り除くのに用いられています。
【背景技術】
【０００２】動物の抜け毛が床に散らばりで不衛生でした。
【発明が解決しようとする課題】
【０００３】犬、ネコ動物の背中等をブラッシングしながら抜け毛を取り除くと共にダニ、ノミ等を床に落るのを最少限にします。
【０００４】一般家庭用掃除機の先端部分を交換するだけ。
【０００５】先端部分ノズルは、ブラシ中央部分に穴をあけ、回りに短長のやわらかいプラスチックの先端部分を丸くして動物等の皮膚にキズをつけないようにするため、やわらかいプラスチック樹脂を使用。
【０００６】ブラッシングしながら犬、ネコ動物等の抜け毛、ダニ、ノミを吸い取り衛生的であり、抜け毛を床に最少限に落るのを防ぐ。
【０００７】一般家庭用掃除機を利用するので、掃除機の先端部分のみを交換する事で、手軽に取付、取ハズシが出来、吸い取った抜け毛、ダニ、ノミを掃除機本体に吸い込み収納するので安心です。
【産業上の利用可能性】
【０００８】一般家庭掃除機が一軒に、１台は有り犬、ネコ動物等を飼っている
先端ブラシがカンタンに交換出来、安く品物が多く出ると思います。【０００９】犬、ネコ動物等だけでなく、ブラシを替えるだけで、ヘアーブラッシングとして抜け髪、フケを吸い取る事にも使用出来ます。
【図面の簡単な説明】
【００１０】
【図１】一般掃除機の先端部分交換ブラッシングアタッチメント  プラスチック樹脂製、実物大
【図２】●黒部分を短く（１０ｍ／ｍ）に、○白い部分を長く（１８ｍ／ｍ）に
【図３】図２の様に短い部分と長い部分にする事によって間をあけ抜け毛を吸い取りやすくします。
【手続補正２】
【補正対象書類名】図面
【補正対象項目名】全図
【補正方法】変更
【補正の内容】
【図１】
2010264220.tif 000004
【図２】
2010264220.tif 000005
【図３】
2010264220.tif 000006
(57)【要約】      （修正有）【課題】現場作業を省力化させるための建設工法を提供する。【解決手段】大型映像装置構造物として、鉄骨柱、梁および内外装板等について、工場で製作可能な作業を、最大限取入れて製作した両端部立面部１，中間部立面部２，中間部水平面部３，屋根水平面部４，床水平面部５，壁立面部６，ベース水平部７等の各部位を、ユニット化して、現地にて最小限の取付作業を行うことで、現地工期の短縮と、組立精度の向上を実現することを特徴とする建設工法である。【選択図】図１
2010133210.tif 000002
【特許請求の範囲】
【請求項１】
大型映像装置構造物として、鉄骨柱、梁及び内外装板を工場で一体製作した両端部立面ユニット（図１）。鉄骨柱及び梁を工場で一体製作した中間部立面ユニット（図１）。鉄骨梁及びつなぎ梁を工場で一体製作した中間部水平面ユニット（図１）。鉄骨下地及び内外装材を工場で一体製作した屋根水平面ユニット（図１）。床水平面ユニット（図１）。鉄骨下地及び内外装板を工場で一体製作した壁立面ユニット（図１）。鉄骨梁及びつなぎ梁を工場で一体製作したベース水平ユニット（図１）で構成する。
上記の各ユニットには、必要な電気設備を取付た構造物とする。
工場製作に重点をおき、現地作業の効率化をはかることができる建設工法。
【発明の詳細な説明】
【０００１】  本発明は構造物を設置する現地での、組立工程の短縮を目的とした鉄骨造工作物製作工法に関するものである。
【背景技術】
【０００２】  従来（図６）、鉄骨造工作物は構造材を設置する現場で、構造材一つ一つを組立てから外装、仕上、電気配線を施工していた（例えば非特許文献１参照。）。【０００３】
【非特許文献１】「建築工程表の作成実務」、工程計画研究会編著、彰国社  鉄骨工事Ｂ  ｐ４８
【発明の表示】
【発明が解決しようとする課題】
【０００４】  そのために、次のような問題点があった。
（イ）現場工事の鉄骨組立から、内外装仕上、電気設備配線までの工期が長くかかってしまう。
（ロ）鉄骨組立の部品数が多すぎ、精度出しが難しい。
本発明は、これらの問題点を解決するためになされたものである。
【課題を解決するための手段】
【０００５】  当該工作物の各構成部位をユニット化することで、現地作業の省力化をはかる。
各ユニットは、鉄骨に内外装板、電気設備配線を既に工場で精度出しの組立施工し、現場搬送する。
【発明の効果】
【０００６】  現場における組立時の、加工精度の問題を最小限にすることができる。また、現地工事の工期を削減できる。
【発明を実施するための最良の形態】
【０００７】  以下、本発明の実施の形態を図１〜図６に基づいて説明する。
（イ）大型映像装置構造物として、鉄骨柱、梁及び内外装板を工場で一体製作した両端部立面ユニット（１）。（ロ）鉄骨柱及び梁を工場で一体製作した中間部立面ユニット（２）。（ハ）鉄骨梁及びつなぎ梁を工場で一体製作した中間部水平面ユニット（３）。（ニ）鉄骨下地及び内外装材を工場で一体製作した屋根水平面ユニット（４）。（ホ）床水平面ユニット（５）。（ヘ）鉄骨下地及び内外装板を工場で一体製作した壁立面ユニット（６）。（ト）鉄骨梁及びつなぎ梁を工場で一体製作したベース水平ユニット（７）で構成する。
（チ）上記の各ユニットを工場製作し、現地搬送して図１〜図５の要領で組立、取付をおこない、電線の端子接続作業をおこなって、工事を完了させる。
工場製作に重点をおき、現地作業の効率化をはかることができる建設工法。
【図面の簡単な説明】
【０００８】
【図１】  本発明の斜視図１
【図２】  本発明の斜視図２
【図３】  本発明の斜視図３
【図４】  本発明の斜視図４
【図５】  本発明の斜視図５
【図６】  本発明の一部を欠いた側面図
【図７】  既存製作の実施例を示す斜視図
【符号の説明】
【０００９】１  両端部立面ユニット
２  中間部立面ユニット
３  中間部水平ユニット
する。
４  屋根水平ユニット
５  床水平ユニット
６  壁立面ユニット
７  ベース水平ユニット
【図１】
2010133210.tif 000003
【図２】
2010133210.tif 000004
【図３】
2010133210.tif 000005
【図４】
2010133210.tif 000006
【図５】
2010133210.tif 000007
【図６】
2010133210.tif 000008
【図７】
2010133210.tif 000009
(57)【要約】【課題】本願発明は、仮囲いの両面を緑化し工事現場の周辺環境の改善と作業環境を改善する仮囲いの緑化装置の提案にある。【解決手段】本発明は、工事現場で使用する仮囲いにおいて、仮囲いに複数のプランターを固定し、それぞれのプランターの上部に当たる仮囲いに開口部を設けた緑化装置である。プランター中の植物を上記開口部より仮囲いの両面に延伸させ、工事現場における仮囲いの両側を緑化することで、その周辺環境及び作業環境を改善することができる。【選択図】図1
2010133212.tif 000002
【特許請求の範囲】
【請求項１】
工事現場で使用する仮囲いにおいて、仮囲いにプランターを複数固定し、当該各プランターの上部に当たる仮囲いに開口部を設け、プランター中の植物を前記開口部から仮囲いの両面に延伸させ仮囲いの両面の環境を改善する仮囲いの緑化装置。
【発明の詳細な説明】
【技術分野】
【０００１】
本発明は、工事現場で使用する仮囲いの緑化技術に属する。
【背景技術】
【０００２】
ビルやマンション等の建設現場等では、工事期間中の事故防止等のために周囲を鋼板性の仮囲で囲んでいる。
【０００３】
この工事現場等で使用する仮囲いは、通常では単に鋼板を加工したものであり、表面に絵や広告を表示させていることから殺風景である。建設現場を周辺環境から区画する仮囲いは建設現場と歩道又は道路との境界に設置され、しかも、建築・土木工事は、数ヶ月〜数年にわたって継続するので、仮囲いの外観は少なからず建設現場の周辺環境に影響する。
【０００４】
このような建設現場の仮囲いの周辺環境を改善するため緑化を行うことが試みられている。例えば特開平8-93276には仮設壁面上部にプランターを係止した緑化装置が開示されている。
特開2007-151519には、仮囲いの裏側にプランターを設置し、プランターの上部仮囲いに開けた開口部よりプランターの植物を表側に誘導し仮囲いの緑化を図る緑化ユニットが開示されている。
特開2007-259786には、仮囲いに凹部を設け苗床保持部とし、この凹部で植物を育てることで仮囲いの表面を緑化する緑化仮囲いが開示されている。
これらの技術はいずれも作業現場の外の環境を改善するもので、仮囲い内部の作業環境を考慮するものではなかった。
【先行技術文献】
【特許文献】
【０００５】
【特許文献１】特開平8-93276
【特許文献２】特開2007-151519
【特許文献３】特開2007-259786
【発明の概要】
【発明が解決しようとする課題】
【０００６】
本願発明は、仮囲いの両面を緑化し周辺環境の改善と作業環境を改善する仮囲いの緑化手段の提案にある。
【課題を解決するための手段】
【０００７】
本発明は、工事現場を遮蔽する仮囲いにプランターを複数固定し、それぞれのプランターの上部にあたる仮囲いに開口部を設けて仮囲いの両側から緑が見えるようにした。
【発明の効果】
【０００８】
本発明は、仮囲いにプランターを複数固定し、それぞれのプランターの上部に当たる仮囲いに開口部を設けたためプランターの植物が仮囲いの両側に延伸する。そのため仮囲いの両側が緑化されるとともに作業環境も改善される。
【図面の簡単な説明】
【０００９】
【図１】は、本発明に係る仮囲い緑化装置の実施例１の側面図である。
【図２】は、本発明に係る仮囲い緑化装置の実施例１の表面を示している。
【図３】は、本発明に係る仮囲い緑化装置の実施例１の裏面を示している。
【図４】は、本発明に係る仮囲い緑化装置の実施例２の側面図である。
【発明を実施するための形態】
【００１０】
以下本発明を図によって、より詳細に説明する。
図１は、本発明に係る仮囲いの緑化装置の側面図である。
図に示した実施例１では、仮囲い用の鋼板の裏面に平行にプランターが固定されている。そのため、通行人などの交通の障害にはならない。
プランターの上方の仮囲い用鋼板には開口部が設けられ、プランター中の草花が仮囲いの両側に延伸し、両側から観測可能となっている。そのため、工事現場の仮囲いの殺風景な景観を和らげ、仮囲いの周辺環境と作業現場の環境を改善している。
【００１１】
図２は、実施例1の仮囲いの表側を示している。図に示すように表側にはプランターから延伸した草花のみが現れる。
図３は、実施例２の仮囲いの裏側を示している。プランターが平行に固定され、プランター中の草花により仮囲い内部の作業現場においても作業環境が改善されている。
プランターは仮囲いの鋼板にビス・ナット等適当な方法で固定される。
【００１２】
図４は、本発明に係る他の仮囲いの実施例を示す側面図の例である。仮囲いを加工し、プランターの固定位置を設けたものである。本実施例も仮囲いに固定されたプランターの上部に当たる仮囲いには開口部が設けられ、仮囲いの両側から緑を見ることができる。図４ａ、ｂはそれぞれ仮囲いの表側、裏側に突き出すようにプランターを設けたものである。
【００１３】
上記実施例に限らず、仮囲いの両側に突き出すようにプランターを固定することも可能である。いずれの実施形態においてプランターの上部あたる仮囲いに開口部が設けられ、緑化に使用される草花が仮囲いの両側に延伸し、両側から観測可能となっていればよい。
【００１４】
いずれの実施形態においても図に示してないが必要に応じて、給水のためのパイプ等事前に備え付けることができ、プランターの材質、プランターに植えつける草花の種類等考慮して設置することができる。
仮囲いの鋼板に固定するプランターの大きさ、数、使用する草花の種類等現場の状況にあわせて適宜変えることができる。
仮囲い鋼板に設けた開口部も図に示した矩形状に限らず丸、網目等適宜変更可能である。
【産業上の利用可能性】
【００１５】
上述したように本発明は、工事現場における仮囲いの緑化に使用され、周辺環境と作業環境の改善のために使用される。
【符号の説明】
【００１６】
１  仮囲い緑化装置
２  プランター
３  仮囲いに設けた開口部
４  仮囲い用鋼板
【図１】
2010133212.tif 000003
【図２】
2010133212.tif 000004
【図３】
2010133212.tif 000005
【図４】
2010133212.tif 000006
(57)【要約】      （修正有）【課題】１着で多種多様に変化の出来る衣服を提供する。【解決手段】生地をユニット化し肩用３、胸用、ポケット用、袖用２などに分割し、ユニットの三辺、四辺、五辺など各辺に付けられた糊しろの部分や止め具部分で任意に連結接続した衣服。製作した生地ユニット及び一般に製造される服の一部、部分を切り取りユニットとする事も出来る、これら各ユニットを作成し、ユニット同士の接続や別に製作されたユニットとこれらユニットを取り混ぜて製作される衣服。各ユニットには、単純生地から電子回路内蔵、各種センサー、電子表示など、ユニットにおよそ内蔵可能な物や機能を取り付ける事を可能とし、場合によってその取り外しや交換が容易に行うことが出来る、最終的に構造が服として構成できるユニットを連結して作成する衣服。【選択図】図１
2010133056.tif 000002
【特許請求の範囲】
【請求項１】
生地となるものを肩用、胸用、ポケット用、袖用などに分割したユニットにし、ユニットの三辺、四辺、五辺など各辺に付けられた糊しろの部分や止め具部分で任意に連結接続された衣服。
【請求項２】
製作した生地ユニット及び一般に製造される服の一部、部分を切り取りユニット化して、各ユニットを作成し、ユニット同士の接続や別に製作されたユニットとこれらユニットを取り混ぜて製作される衣服。
【請求項３】
各ユニットには、単純生地から電子回路内蔵、各種センサー、電子表示など、ユニットにおよそ内蔵可能な物や機能ユニットを取り付ける事を可能とし、場合によってその取り外しや交換を容易に行うことが出来き最終的に構造が服として構成できるユニットを連結して作成する衣服。 
【発明の詳細な説明】
【技術分野】
【０００１】
本発明は、機能や形状や平面を主体とする分割ユニット生地で構成する衣服であり、生地素材を、ユニット化して取り付け完成する衣服。
【背景技術】
【０００２】
服は、一般に生地素材を体型採寸し、これを生地として縫製して作成され、基本的に服としての形をなす。
【発明の開示】
【発明が解決しようとする課題】
【０００３】
以上のような従来の服には、次のような解決すべき課題があった。
１、生地を縫製する作り方の為、特殊なデザインが作りにくい。
２、体の体型に支配され、柔らかい材質だけで構成される為、外形的変化を作りにくい
３、生地の質に支配される為、堅牢性に欠ける。
４、縫製が可能な生地を主体として製作しなければならない。
【課題を解決するための手段】
【０００４】
本発明は以上の点を解決するために、次のような構成を採用する。
構成１
生地ユニット、袖ユニット、肩ユニットなど各ユニットで構成される衣服。
【０００５】
構成２
構成は、任意であり各ユニットの糊しろ又は止め具部分を持ち、各糊しろ又は止め具部分同士は連結され、よって構成される衣服。
【０００６】
構成３
ユニットには、およそ生地にならない部分も存在理由があり、機能を持たせる事が可能な
ユニットも構成に含まれる衣服。
【発明の効果】
【０００７】
本発明の服には次のような効果がある。
具体例と効果
１、各ユニットが連結し、服としての機能をはたす。
２、構成される各ユニットは、体の主要場所や機能を果たす一定の面積のあるもので、決定されるので、容易に連結し衣服が完成する。
３、ユニットの交換や機能ユニット取り付けで、異なる機能や性能の付加や選別が可能であり、デザイン衣服形状を作り出し衣服となす。
４、およそ各ユニットに取り付け可能な機能は、生地素材とみなされ、生地素材は、従来の素材以外のものも使用できる為、機能や性能を服に装着する事も出来る。
【発明を実施するための最良の形態】
【０００８】
以下、本発明を図の具体例を用いて詳細に説明する。
【実施例】
【０００９】
図１に、本発明の衣服の具体例斜視図を示す。
図の服は、分割ユニット構成される服を示し、各種機能ある電子回路や一般機能を含めた生地ユニット１袖ユニット２肩ユニット３を糊しろ５や止め具４で連結し構成され機能や性能のある衣服となる。各ユニットは任意に決めたサイズの範囲以内で自由な物をユニット連結し、必要な場合は取り付け取り外しが可能である。
【図面の簡単な説明】
【００１０】
【図１】この発明の服の具体例斜視図を示す。
【符号の説明】
【００１１】
１  生地ユニット１
２  袖ユニット２
３  肩ユニット３
４  止め具４
５  糊しろ５
【図１】
2010133056.tif 000003